(57)【要約】      （修正有）【課題】目地シール材を除去するための簡便で有効な方法を提供すること。【解決手段】回転軸、先端部から根元部まで回転軸に対して対象な断面形状、先端部と根元部の間に伸長する外周方向を向いた刃、目地幅よりも小さい断面直径、及び略平坦な先端部を有する工具１を回転軸を中心にして回転させながら、目地に充填されたシール材５と接触させる工程；及び該工具１を目地側面又は目地底面に沿って適宜もしくは連続的に目地側面又は目地底面に接触させながら移動させることにより、シール材５を目地側面又は目地底面から剥離させる工程；を包含する、目地シール材除去方法。【選択図】図４
2006348520.tif 000002
【特許請求の範囲】
【請求項１】
回転軸、先端部から根元部まで回転軸に対して対象な断面形状、先端部と根元部の間に伸長する外周方向を向いた刃、目地幅よりも小さい断面直径、及び略平坦な先端部を有する工具を回転軸を中心にして回転させながら、目地に充填されたシール材と接触させる工程；及び
該工具を目地側面又は目地底面に沿って適宜もしくは連続的に目地側面又は目地底面に接触させながら移動させることにより、シール材を目地側面又は目地底面から剥離させる工程；
を包含する、目地シール材除去方法。
【請求項２】
前記工具を目地側面又は目地底面に沿って適宜もしくは連続的に目地側面又は目地底面に接触させながら移動させることにより、新しいシール材を塗布するための下地粗面化処理まで行われる、請求項１記載の方法。
【請求項３】
前記工具の外形が円錐台形又は円筒形である請求項１又は２記載の方法。
【請求項４】
前記工具の外形が円筒形であり、外周面上に先端部と根元部の間に伸長する溝を有している、請求項１〜３のいずれか記載の方法。
【請求項５】
前記工具が金属製であり、目地母材がコンクリート製又は石材製である請求項１〜４のいずれか記載の方法。
【請求項６】
前記工具が樹脂製であり、目地母材がガラス製である請求項１〜４のいずれか記載の方法。
【請求項７】
前記工具の外周に設けられた刃の刃物角βが９０°より大きい、請求項１〜６記載の方法。
【発明の詳細な説明】
【技術分野】
【０００１】
本発明は、目地シール材除去方法に関する。
【背景技術】
【０００２】
建物の外壁を石材やコンクリート、パネル材などにより仕上げる場合に、その壁材間の目地には、目地シール材が施工される。この目地は、仕上壁材の種類によって目地のシール構造が若干異なるが、目地底にバックアップ材を詰めて、その上に目地シール材を施工するものが一般的である。そして、目地に施工されたシール材は経時的に老朽化するので、取り替える必要がある。
【０００３】
近時は、その老朽化した目地シール材を取り替える工事数が増大している。老朽化した目地シール材を除去するには、カッターやドライバー等を用いて目地側面に切り込みを入れ、ペンチのような工具でシール材の端を掴み、引っ張り剥がしているのが現状である。しかしながら、目地側面には凹凸があり、カッターの刃先の角度等がまちまちとなる。また、目地の底面には切り込みを入れることはできない。
【０００４】
そのために、目地内面には既設の目地シール材やプライマーが取り残されることが多い。取り残されたプライマーやシール材の上に新しいシール材を充填すると目地内面に対するシール材の密着が不十分となり、シール性能が低下する。そのため、これらを取り除いて目地内面を仕上げるために、更に別の除去作業が必要となり、多大な労力や時間を要している。
【０００５】
特許文献１には、回転軸、先端部から根元部まで回転軸に対して対象な断面形状、先端部と根元部の間に伸長する外周方向を向いた刃、及び平坦な先端部を有する剛性樹脂製の切削具が記載されている。この切削具はシール材を基材から除去するのに有用である。しかしながら、これを用いて建築部材等の目地シール材を除去することは未だ試みられていない。
【特許文献１】特開２００４−５０８２０８
【発明の開示】
【発明が解決しようとする課題】
【０００６】
本発明は上記従来の問題を解決するものであり、その目的とするところは、目地シール材を除去するための簡便で有効な方法を提供することにある。
【課題を解決するための手段】
【０００７】
本発明は、回転軸、回転軸に対して対象な断面形状、先端部と根元部の間に伸長する外周方向を向いた刃、目地幅よりも小さい断面直径、及び略平坦な先端部を有する工具を回転軸を中心にして回転させながら、目地に充填されたシール材と接触させる工程；及び
該工具を目地側面又は目地底面に沿って適宜もしくは連続的に目地側面又は目地底面に接触させながら移動させることにより、シール材を目地側面又は目地底面から剥離させる工程；
を包含する、目地シール材除去方法を提供するものであり、そのことにより上記目的が達成される。
【発明の効果】
【０００８】
本発明の方法によれば、シール材のみならずプライマー層も完全に除去され、しかも新しいシール材を塗布するための下地粗面化処理まで行われるため、作業に必要な労力が顕著に軽減され、同時に新しく充填されるシール材のシール性能が向上する。
【発明を実施するための最良の形態】
【０００９】
図１は本発明の方法で用いる工具の形状の一例を示す斜視図である。この工具１は外形が円筒形であり回転軸２を有している。そして、回転軸と垂直な面で切った断面は、先端部から根元部まで回転軸に対して対象な形状である。尚、本明細書において工具の「断面」とは特に断らない限り回転軸と垂直な面で切った断面をいう。
【００１０】
先端部及び根元部は略平坦である。先端部を略平坦にすることで工具の推進力が抑制され、目地母材に対する過度の損傷が防止される。ここに、略平坦とは、工具の先端部が、ドリルの先端部のような形状とは異なり、工具の推進力を抑制できる形状であれば足りる趣旨である。略平坦という用語の意味には、平坦の他、多少の曲面、傾斜面を有する形状も含まれる。根元部には駆動手段に取り付けるためのネジが形成されている。尚、言うまでもないが、駆動手段に工具を取り付ける手段として、ネジ以外にも各種常套の手段を用いることができる。
【００１１】
工具の太さや長さなどの外形寸法は処理対象の目地の寸法に応じて適宜決定される。一般に、工具の太さは目地幅より小さい寸法であればよく、工具の長さは目地深さと同等以上であることが好ましい。工具１は幅１５〜２０ｍｍ、深さ１０〜１５ｍｍ程度の目地に使用することを想定している。工具１の太さ、すなわち断面直径は１０ｍｍ、長さ、すなわち先端部から根元部までの距離は１５ｍｍである。
【００１２】
図２（ａ）は図１の工具の側面図、及び図２（ｂ）は正面図である。
【００１３】
円筒の外周面上には先端部と根元部の間に伸長する溝３が形成されている。この溝３は縁部に外周方向を向いた刃を形成し、切り屑を排出する機能を奏する。溝３は、工具１には４条形成されているが、一般にはその本数は１条以上であればよい。溝３は回転軸に対して３０゜のねじれ角αを有している。一般には、溝のねじれ角は０〜９０゜の範囲で適宜決定すればよい。
【００１４】
工具１では溝の幅ｗは４ｍｍであり、深さｄは２ｍｍである。これらの値は工具の外形寸法や溝の本数等を考慮して可能な範囲内で適宜調節すればよい。
【００１５】
工具１では溝の縁部に形成された刃の刃物角βは１００゜である。刃物角は９０゜より大きくすることが好ましい。刃物角が９０゜未満であると除去されたシール材が刃先に引っ掛かり、工具に巻きつくおそれがある。
【００１６】
目地母材がコンクリート製又はセラミックやタイルなどを含む石材製である場合、この工具は工具鋼製であることが好ましい。工具を工具鋼製にすることで、工具の寿命を保ちながら、目地母材を過度に損傷することなくシール材除去及び適切な下地処理が行なえるからである。
【００１７】
ただし、目地母材の材質や硬さなどに応じて工具の材質は適宜選択できる。例えば、目地母材がガラス製の場合工具の材質は樹脂であることが好ましい。工具を樹脂製とすることで母材のガラスを傷つけることなくシール材の除去が行なえる。樹脂製工具は、例えば、特許文献１に説明されているものを使用することもできる。
【００１８】
図３（ａ）は本発明の方法に用いることができる樹脂製工具の形状の一例を示す斜視図である。図３（ｂ）この工具の側面図、及び図３（ｃ）は正面図である。
【００１９】
樹脂は熱可塑性または熱硬化性であってもよい。熱可塑性である場合は、好ましい物品の製造方法は射出成形である。熱可塑性樹脂が選択された場合は、例えば、「反応射出成形」のような技術上公知である製造方法が用いられることがある。或いは、射出成形技術、およびその後に続く、高温か或いは別様に適当に反応する環境に成形品をさらすような、架橋工程によって加工できる熱硬化性樹脂が選択されることがある。
【００２０】
樹脂は剛性熱可塑性高分子であることが好ましい。有用な樹脂の例は、ポリオレフィン、ポリアミド、ポリエステル、ポリサルフォン、ポリ（エーテルエーテルケトン）、およびポリエーテルイミドを含むが、それらに限定されない。最も好ましいのは、ＧＥプラスチック（マサチューセッツ州ピッツフィールド）から「ＵＬＴＥＭ」として商業的に入手できるような、ポリエーテルイミド樹脂である。このような樹脂製工具を用いる場合、シール材は切削作用によって除去される。
【００２１】
上述のような工具は、回転させるために駆動手段に取り付けられる。駆動手段は、例えば、電気駆動機構や空気駆動機構などを有していてよい。駆動手段は、負荷条件下で少なくとも約２００ＲＰＭ、無負荷条件下で約５００〜３０００ＲＰＭの回転速度を維持するのに十分なトルクで工具を駆動できることが好ましい。
【００２２】
そして、駆動手段に取り付けた工具を回転させ、目地に充填されたシール材と接触させる。図４は本発明の方法によってシール材が除去されている過程を示す斜視図である。駆動手段４によって回転させられた工具１が目地内部６に挿入され、同時にシール材５が目地内部６から引き出されている。バックアップ材７は目地内部に残されている。
【００２３】
シール材は特に限定されないが、例えば、ポリスルフィド、シリコンゴム（ＲＴＶ）、シリコーンシール材、ポリウレタン、ブチルマスチック化合物、アクリルラテックスコークのようなコーク、スチレン−ブタジエンコポリマーゴム、スチレン−エチレン−ブチレンブロックコポリマーおよびターポリマーゴム、ポリイソプレン、ポリクロロプレン、オレフィンエラストマー、ポリエステルエラストマー、ポリアミドエラストマー、ならびに前述の化合物の混合物およびコポリマーを含む。
【００２４】
目地のシール材が２面接着の場合、目地側面に工具を回転させながら側刃を沿わせるように、シール面に対して約６０゜の角度をもって切り込み、そのまま目地側面に沿って工具を回転させながら移動させ、目地側面の母材（コンクリートなど）からシール材を剥離させる。
【００２５】
目地のシール材が３面接着の場合、シール面に対して約８０゜の角度をもって切り込み、目地側面に沿って工具を移動させる際、工具の側面は目地側面に沿わせ、工具先端部の外周部は、目地底面に接触させて移動させる。これにより、目地側面及び目地底面の母材からシール材を剥離させる。
【００２６】
図５は本発明の方法によってシール材を除去した目地内面の状態を示す写真である。目地内面はシール材のみならずプライマー層も完全に除去され、しかも下地粗面化処理まで行われている。その結果、新しいシール材を塗布するために別途下地粗面化処理を行う必要がなくなり、シール材の取替え作業が著しく効率化される。
【００２７】
図６はカッターを用いた従来の方法によってシール材を除去した目地内面の状態を示す写真である。具体的には、カッターを用いて目地側面に切り込みを入れ、ペンチでシール材の端を掴み、引っ張り剥がしてシール材を除去した。目地内面には目地シール材やプライマーが取り残されている。
【００２８】
図７は本発明の方法による結果Ａと従来の方法による結果Ｂとを対比して示した写真である。
【図面の簡単な説明】
【００２９】
【図１】本発明の方法で用いる工具の形状の一例を示す斜視図である。
【図２】（ａ）は図１の工具の側面図、（ｂ）は正面図である。
【図３】（ａ）は本発明の方法に用いることができる樹脂製工具の形状の一例を示す斜視図、（ｂ）はこの工具の側面図、及び（ｃ）は正面図である。
【図４】本発明の方法によってシール材が除去されている過程を示す写真である。
【図５】本発明の方法によってシール材を除去した目地内面の状態を示す写真である。
【図６】従来の方法によってシール材を除去した目地内面の状態を示す写真である。
【図７】本発明の方法による結果と従来の方法による結果とを対比して示した写真である。
【符号の説明】
【００３０】
１…工具、
２…回転軸、
３…溝。
【図１】
2006348520.tif 000003
【図２】
2006348520.tif 000004
【図３】
2006348520.tif 000005
【図４】
2006348520.tif 000006
【図５】
2006348520.tif 000007
【図６】
2006348520.tif 000008
【図７】
2006348520.tif 000009
【手続補正書】
【提出日】平成18年10月24日(2006.10.24)
【手続補正１】
【補正対象書類名】特許請求の範囲
【補正対象項目名】全文
【補正方法】変更
【補正の内容】
【特許請求の範囲】
【請求項１】
回転軸、先端部から根元部まで回転軸に対して対象な断面形状、先端部と根元部の間に伸長する外周方向を向いた刃、及び略平坦な先端部を有する工具を回転軸を中心にして回転させながら、目地に充填されたシール材と接触させる工程；及び
該工具を目地側面又は目地底面に沿って適宜もしくは連続的に目地側面又は目地底面に接触させながら移動させることにより、シール材を目地側面又は目地底面から剥離させる工程；
を包含する、目地シール材除去方法。
【請求項２】
前記工具を目地側面又は目地底面に沿って適宜もしくは連続的に目地側面又は目地底面に接触させながら移動させることにより、新しいシール材を塗布するための下地粗面化処理まで行われる、請求項１記載の方法。
【請求項３】
前記工具の外形が円錐台形又は円筒形である請求項１又は２記載の方法。
【請求項４】
前記工具の外形が円筒形であり、外周面上に先端部と根元部の間に伸長する溝を有している、請求項１〜３のいずれか記載の方法。
【請求項５】
前記工具が金属製であり、目地母材がコンクリート製又は石材製である請求項１〜４のいずれか記載の方法。
【請求項６】
前記工具が樹脂製であり、目地母材がガラス製である請求項１〜４のいずれか記載の方法。
【請求項７】
前記工具の外周に設けられた刃の刃物角が９０°より大きい、請求項１〜６のいずれか記載の方法。
【請求項８】
回転軸、先端部から根元部まで回転軸に対して対象な断面形状、先端部と根元部の間に伸長する外周方向を向いた刃、及び略平坦な先端部を有し、該外周方向を向いた刃の刃物角が９０°より大きい工具。
【請求項９】
目地シール材の除去に用いられる、請求項８記載の工具。
【手続補正３】
【補正対象書類名】明細書
【補正対象項目名】０００１
【補正方法】変更
【補正の内容】
【０００１】
本発明は、目地シール材除去方法及び工具に関する。
【手続補正４】
【補正対象書類名】明細書
【補正対象項目名】０００６
【補正方法】変更
【補正の内容】
【０００６】
本発明は上記従来の問題を解決するものであり、その目的とするところは、目地シール材を除去するための簡便で有効な方法及び工具を提供することにある。
【手続補正５】
【補正対象書類名】明細書
【補正対象項目名】０００７
【補正方法】変更
【補正の内容】
【０００７】
本発明は、回転軸、回転軸に対して対象な断面形状、先端部と根元部の間に伸長する外周方向を向いた刃、及び略平坦な先端部を有する工具を回転軸を中心にして回転させながら、目地に充填されたシール材と接触させる工程；及び
該工具を目地側面又は目地底面に沿って適宜もしくは連続的に目地側面又は目地底面に接触させながら移動させることにより、シール材を目地側面又は目地底面から剥離させる工程；
を包含する、目地シール材除去方法を提供する。
また、本発明は、回転軸、先端部から根元部まで回転軸に対して対象な断面形状、先端部と根元部の間に伸長する外周方向を向いた刃、及び略平坦な先端部を有し、該外周方向を向いた刃の刃物角が９０°より大きい工具を提供する。
【手続補正６】
【補正対象書類名】明細書
【補正対象項目名】０００８
【補正方法】変更
【補正の内容】
【０００８】
本発明の方法及び工具によれば、シール材のみならずプライマー層も完全に除去され、しかも新しいシール材を塗布するための下地粗面化処理まで行われるため、作業に必要な労力が顕著に軽減され、同時に新しく充填されるシール材のシール性能が向上する。